(57)【特許請求の範囲】
【請求項１】
被服を含む対象物のファスナーを閉にするときに生ずる引っ張りに抗するために用いる引っ張り補助具であって、
前記ファスナーが止製品のファスナーである場合に、前記対象物であって、前記ファスナーを閉じるときの開始点付近に一端部側を固定し、前記ファスナーが開製品のファスナーである場合に、前記対象物に設けられる蝶棒近傍に前記一端部側を固定するクリップと、
前記クリップの他端側に一端部が固定される紐部と、
前記紐部の長さ方向の所定の位置で固定される紐留めと、
を備えることを特徴とする引っ張り補助具。
【請求項２】
前記紐留めは、前記紐部において移動可能にされ、その後、前記所定の位置に固定されることを特徴とする請求項１に記載の引っ張り補助具。
【請求項３】
前記紐部は、前記クリップと前記紐留めとの間で貫通孔を形成可能に構成されていることを特徴とする請求項１または請求項２に記載の引っ張り補助具。
【請求項４】
前記紐部の他端部には、紐先端カバーが装着されていることを特徴とする請求項１ないし請求項３のいずれかに記載の引っ張り補助具。
【請求項５】
被服を含む物品のファスナーを閉にするときに用いる引っ張り補助具であって、
所定の長さの紐部と、
前記紐部の一端に取り付けられ、前記ファスナーが止製品のファスナーである場合に、前記物品であって、前記ファスナーを閉じるときの開始点付近に固定され、前記ファスナーが開製品のファスナーである場合に、前記ファスナーを閉じるときの開始点付近の前記物品に設けられる蝶棒近傍に固定されるクリップと、
前記紐部に沿って移動可能にされ、かつ、所定の位置で紐部に固定される紐留めと、を備え、
前記紐部及び前記紐留めは与えられる外力により、前記ファスナーが閉にされるとき生ずる引っ張りに抗することを特徴とする引っ張り補助具。
【発明の詳細な説明】
【技術分野】
【０００１】
本発明の実施の形態は、ファスナーを利用する際に用いる引っ張り補助具に関する。
【背景技術】
【０００２】
例えば、スキー等を行う際には安全、防寒等のためにスキー用の手袋を着用するが、このスキー用の手袋は厚手であり、例えば、ポケットに設けられたファスナーを操作することは容易ではない。そのため、以下に示す特許文献１においては、ポケットに取り付けられたファスナーのスライダーに伸縮性を有する紐の一端を固定するとともに、他端をファスナーが開口したときにスライダーが位置する側の近傍に固定したポケットが開示されている。
【先行技術文献】
【特許文献】
【０００３】
【特許文献１】特開２００１−３２９４１４号公報
【発明の概要】
【発明が解決しようとする課題】
【０００４】
しかしながら、上記特許文献１において開示されている発明では、次の点について配慮がなされていない。
【０００５】
すなわち、上記特許文献１に開示されている発明は、あくまでもファスナー自体に仕掛けを施してファスナー開口の容易化を図るものである。また、特許文献１に示されているファスナーは単純にスライダーが往復するだけで開閉が可能とされている、いわゆる止製品のファスナーである。
【０００６】
一方、ファスナーが被服の前身頃に用いられる場合、いわゆる開製品のファスナーが用いられる。この開製品のファスナーの場合、左右の前身頃の互いに対向する位置にそれぞれエレメントが設けられたテープが固定されており、一方のテープにはスライダーが、他方のテープには蝶棒が設けられている。エレメントを噛み合わせる場合、まず、前身頃の下側に位置するテープの端部に形成されている蝶棒をスライダーの下部に設けられている箱に嵌め込む。その上で、スライダーをテープに沿って引っ張ることでエレメントが順次噛み合ってファスナーが閉まる。
【０００７】
このように蝶棒を箱に嵌め合わせた後にスライダーを引っ張る場合、蝶棒がスライダーから外れてしまわないように、或いは、スライダーをスムーズに引っ張るために蝶棒が設けられている側に対してスライダーの移動方向とは逆方向に力を掛けておく必要がある。
【０００８】
但し、手や腕に障害を有する者や知的障害者（以下、適宜「障害者」と表わす）や、健常者であっても、例えば、高齢により手の力が弱くなった者や上述したような厚手の手袋等を着用することで手の自由を確保できない場合、ファスナーを引っ張る際に蝶棒が設けられている側に力を掛けておくことが非常に困難となる。
【０００９】
一方で、特に今日のように、ファスナーは被服、鞄類をはじめとして、生活全般において数多く利用されている状況において、全てのファスナーに対して特許文献１において開示されているような構成を付加することは現実的ではない。また、特許文献１に記載の発明ではスライダーの移動を開始するに当たって蝶棒をスライダーに嵌め合わせる必要がなく、確実に嵌め合わせていない状態でスライダーを移動させた場合にスライダーとともに蝶棒が移動してしまうこともない。そのため、上述したような蝶棒が設けられているテープにスライダーの移動方向と逆方向の力を掛けておく必要性は低い。
【００１０】
本発明は上記課題を解決するためになされたものであり、本発明の目的は、障害者、健常者を問わず、容易、かつ、スムーズにファスナーの開閉を行うことを可能とする引っ張り補助具を提供することにある。
【課題を解決するための手段】
【００１１】
上記目的を達成するために、実施形態における引っ張り補助具は、被服を含む対象物のファスナーを閉にするときに生ずる引っ張りに抗するために用いる引っ張り補助具であって、ファスナーが止製品のファスナーである場合に、対象物であって、ファスナーを閉じるときの開始点付近に一端部側を固定し、ファスナーが開製品のファスナーである場合に、対象物に設けられる蝶棒近傍に一端部側を固定するクリップと、クリップの他端側に一端部が固定される紐部と、紐部の長さ方向の所定の位置で固定される紐留めとを備える。
【００１２】
また、実施形態における引っ張り補助具は、被服を含む物品のファスナーを閉にするときに用いる引っ張り補助具であって、所定の長さの紐部と、紐部の一端に取り付けられ、ファスナーが止製品のファスナーである場合に、物品であって、ファスナーを閉じるときの開始点付近に固定され、ファスナーが開製品のファスナーである場合に、ファスナーを閉じるときの開始点付近の物品に設けられる蝶棒近傍に固定されるクリップと、紐部に沿って移動可能にされ、かつ、所定の位置で紐部に固定される紐留めと、を備え、紐部及び紐留めは与えられる外力により、ファスナーが閉にされるとき生ずる引っ張りに抗する。
【発明の効果】
【００１３】
本発明によれば、障害者、健常者を問わず、容易、かつ、スムーズにファスナーの開閉を行うことを可能とする引っ張り補助具を提供することができる。
【図面の簡単な説明】
【００１４】
【図１】実施の形態における引っ張り補助具の全体を示す平面図である。
【図２】実施の形態における引っ張り補助具の全体を示す正面図である。
【図３】実施の形態における引っ張り補助具を被服に装着した例を示す説明図である。
【図４】実施の形態における引っ張り補助具の第１の使用状態を示す説明図である。
【図５】実施の形態における引っ張り補助具の第２の使用状態を示す説明図である。
【図６】実施の形態における引っ張り補助具の第３の使用状態を示す説明図である。
【図７】実施の形態における引っ張り補助具の第１の変形例を示す説明図である。
【図８】実施の形態における引っ張り補助具の第２の変形例を示す説明図である。
【発明を実施するための形態】
【００１５】
以下、本発明の実施の形態について図面を参照して詳細に説明する。
【００１６】
図１は、実施の形態における引っ張り補助具１０の全体を示す平面図である。また、図２は、実施の形態における引っ張り補助具１０の全体を示す正面図である。
【００１７】
引っ張り補助具１０は、ファスナーが設けられている被服等に固定して、ファスナーを引っ張る際に、ファスナーを容易、かつ、スムーズに引っ張ることができるように補助するために用いられる。
【００１８】
引っ張り補助具１０は、少なくとも、クリップ１と、紐部２と、紐留め３とから構成されている。クリップ１は、ファスナーが設けられている被服等の対象物に引っ張り補助具１０を固定するために用いられる。本発明の実施の形態におけるクリップ１は、その一端部側に、被服等に引っ張り補助具１０を固定する固定部１１が設けられている。固定部１１は、さらに、引っ張り補助具１０を被服等に固定する場合に移動して被服等を挟み込む空間を作る可動部１１ａと、可動部１１ａが挟み込む被服等を受けて可動部１１ａとの間で被服等に引っ張り補助具１０を固定する基部１１ｂとから構成される。また、クリップ１の他端側には、紐部２を固定するための連結部１２が設けられている。
【００１９】
また、本発明の実施の形態におけるクリップ１では、可動部１１ａと基部１１ｂには、それぞれ互いに噛み合わせることができる歯１１ｃが設けられている。
【００２０】
クリップ１（引っ張り補助具１０）を被服等に固定する際、本発明の実施の形態におけるクリップ１の場合、連結部１２を図２に示す実線の矢印の方向に回転するように動かす。連結部１２を実線の矢印の方向に動かすと、可動部１１ａが基部１１ｂから離れて破線の矢印で示す方向に移動する。このとき、基部１１ｂは移動しない。可動部１１ａが移動することによって、基部１１ｂとの間に空間が生じる。このように作られた空間に引っ張り補助具１０を固定する対象となる被服等を挿入し、今度は連結部１２を図２に示す実線の矢印とは逆の向きに動かす。これにより、可動部１１ａが元の位置に戻るため基部１１ｂとの間で被服等を固定することができる。そして、歯１１ｃが被服等に食い込むことによって引っ張り補助具１０が被服等に固定される。
【００２１】
当該歯１１ｃは、被服等に引っ張り補助具１０を固定する際、固定の対象である被服等を痛めることなく、一方で確実に引っ張り補助具１０を固定することができるような構成とされている。
【００２２】
なお、クリップ１は、引っ張り補助具１０を対象に固定するための物である。従って、上述したように噛み合わせる歯１１ｃが対象に食い込むことによって引っ張り補助具１０を固定する方法の他、クリップではなく、ピン等を用いて対象に固定する方法を採用しても良い。
【００２３】
紐部２は、後述する紐留め３を保持する役割を有している。紐部２は、その一端部がクリップ１の連結部１２に固定されている。そして本発明の実施の形態においては、紐留め３は、紐部２に接続されることで紐部２に保持されている。
【００２４】
紐部２は、１本の紐状の部材であっても、或いは、図１、或いは、図２に示すように、２本の紐状の部材から構成されていても良い。本発明の実施の形態においては、このように紐部２は２本の紐状の部材から構成されていることから、一方の紐２ａと他方の紐２ｂとの間を広げることで、両者の間に貫通孔が形成可能とされている。貫通孔を利用した引っ張り補助具１０の使用状態については後述する。また、紐部２の素材として、例えば、伸縮が可能な素材を選択する等、どのような素材を選択するかは任意である。
【００２５】
紐部２には、紐留め３が接続されている。紐留め３は、胴部３ａに貫通孔が形成されており、当該貫通孔を紐部２が貫通している。そして、胴部３ａを貫通する紐部２を押さえるために、その内部に紐部２の長さ方向における紐留め３の位置を固定するための付勢部材が設けられている（図示せず）。紐部２に対する付勢状態を解除するためのボタン３ｂが設けられており、当該ボタン３ｂを胴部３ａに押し込んでいる間、紐部２に対する付勢を解除することができる。かつ、これによって、紐留め３が紐部２の長さ方向に移動可能となる。
【００２６】
ここで説明する本発明の実施の形態においては、紐部２の他端には、紐先端カバー４が装着されている。紐先端カバー４が紐部２の他端に装着されていることで、紐部２から紐留め３が脱落してしまうことを回避することができる。また、本発明の実施の形態においては、紐部２の他端が紐先端カバー４によって固定されており、上述したように、紐部２の一端はクリップ１に連結、固定されて、紐部２の両端が固定されている。従って、紐部２のように２本の紐状の部材から構成されている場合、一方の紐２ａと他方の紐２ｂとの間に貫通孔を形成することができる。
【００２７】
次に、引っ張り補助具１０の使用状態について、図３ないし図６を利用して以下説明する。
【００２８】
図３、図４は、実施の形態における引っ張り補助具１０を被服Ｃに装着した例を示す説明図である。図３に示す被服Ｃは、左右の前身頃のそれぞれ対向する位置にエレメント（ファスナーを噛み合わせるための歯）を備えるテープが設けられている。前身頃の一方、例えば、向かって右側の下側には、引っ張ることによってエレメントを噛み合わせるスライダーＳが設けられている。他方、例えば、向かって左側の下側には、ファスナーＦを閉める際にスライダーＳと箱Ｂとに噛ませる蝶棒Ｄが設けられている。
【００２９】
このような被服Ｃに対して蝶棒Ｄが設けられている側にクリップ１を用いて引っ張り補助具１０を固定する。このような位置に引っ張り補助具１０を固定するのは、ファスナーＦを開閉するためにスライダーＳを引っ張る際に、スライダーＳに嵌め込んだ蝶棒Ｄが設けられている側をスライダーＳの移動方向と逆方向に押さえる必要があるからである。
【００３０】
すなわち、スライダーＳを引っ張る際に蝶棒Ｄが設けられている側がスライダーＳの移動に従って移動してしまうとファスナーＦを閉めることができなくなってしまうからである。
【００３１】
なお、好適には、引っ張り補助具１０をできるだけ蝶棒Ｄに近い位置に固定する。つまり、被服等のファスナーＦを閉じる際に、引っ張り補助具１０をファスナーＦの移動の開始点付近に取り付ける。そして、引っ張り補助具１０のクリップ１、紐部２、紐先端カバー４を結ぶことでできる線が、ファスナーＦの移動方向と略平行となる向きに固定する。このような位置、向きに引っ張り補助具１０を固定することにより容易、かつ、スムーズにファスナーＦを引っ張ることができる。
【００３２】
図４は、実施の形態における引っ張り補助具１０の第１の使用状態を示す説明図であり、使用者からの目線で引っ張り補助具１０を見た場合を示している。図４に示す第１の使用状態では、引っ張り補助具１０の紐部２の部分に右手の人差し指と中指とを差し込むようにして引っ張り補助具１０を固定することによって、被服Ｃを固定しようとするものである。紐留め３に指が接することによって、スライダーＳの移動方向に被服Ｃが引っ張られてもその移動方向に被服Ｃが移動することを防止することができる。そのため、紐部２及び紐留め３は、使用者の手等で押さえやすい構造としている。
【００３３】
従って、紐留め３は、紐部２を指で挟んだ際に、当該指に接する位置に位置することが好ましい。そこで、紐留め３のボタン３ｂを操作して紐部２に対する紐留め３の付勢を解除して、紐部２における紐留め３の位置を自由に選択することで、最適な位置に紐留め３を移動させる。そして、再び付勢させることで、紐部２に対する紐留め３の位置を固定させる。
【００３４】
なお、図４に示す使用状態では、右手の人差し指と中指の間に紐部２を挟むようにしているが、引っ張り補助具１０の使用者にとって使用しやすい指を利用すれば良く、特に引っ張り補助具１０を指に挟んだり、紐留め３に指を引っ掛ける等、その使い方は限定されない。
【００３５】
以上のことから、紐留め３は、その機能として、ストッパーとしての機能がある。図４に示されているように、紐留め３を指に引っかけてストッパーとすることでスライダーＳの移動方向と逆方向に力を掛けることが可能となる。
【００３６】
そして、この状態で、蝶棒ＤをスライダーＳ及び箱Ｂに差し込み、スライダーＳを引っ張る。スライダーＳが引っ張られても、引っ張り補助具１０が使用されていることによって、被服Ｃに対してスライダーＳの移動方向とは逆方向に力が掛かっていることから、エレメントやテープが撓むことや被服Ｃが引っ張られることもなく、容易、かつ、スムーズにファスナーＦの開閉を行うことができる。
【００３７】
図５は、実施の形態における引っ張り補助具１０の第２の使用状態を示す説明図である。図４に示す第１の使用状態では、指を紐留め３に引っ掛けることによって被服Ｃを固定していた。一方図５に示す第２の使用状態においては、紐部２を利用して貫通孔２ｃを形成し、当該貫通孔２ｃに腕Ａを通すことで、引っ張り補助具１０を介して被服Ｃを固定している。第２の使用状態に示すように紐部２に腕Ａを通すようにすれば、例えば、指を動かすことが困難な場合であっても、スライダーＳを引っ張る際に適切に被服Ｃを固定することができる。このように紐留め３の２つ目の機能として、紐部２によって形成される貫通孔２ｃの大きさを調整する機能がある。
【００３８】
図６は、実施の形態における引っ張り補助具１０の第３の使用状態を示す説明図である。これまでの説明では、引っ張り補助具１０を被服Ｃに装着した場合を例に挙げて説明をしてきた。但し、引っ張り補助具１０の利用は、被服Ｃに限られるものではなく、例えば、鞄に取り付けられているファスナーの開閉の際にも使用することができる。図６では、本発明の実施の形態における引っ張り補助具１０を鞄Ｇに装着した例を示しており、鞄Ｇを真上から見た状態を示している。
【００３９】
障害者に限らず、健常者であっても、例えば高齢者の場合、スライダーＳを引っ張る際にあまり力を入れることができず、スムーズにスライダーＳを引っ張ることができない場合もある。特に、ファスナーＦが、例えば、柔らかい素材で作られている鞄Ｇに取り付けられているような場合、スライダーＳが引っ張られる方向とは逆向きの方向に適切に力が掛からなければスムーズなファスナーＦの開閉を行うことができない。
【００４０】
このような場合に、スライダーＳの移動開始の起点近傍に引っ張り補助具１０を装着した上でスライダーＳを移動させることによって、ファスナーＦを簡易、かつ、スムーズに開閉させることができる。
【００４１】
次に、これまで説明してきた引っ張り補助具１０の変形例を、図７、及び、図８を用いて説明する。
【００４２】
図７は、実施の形態における引っ張り補助具１０の第１の変形例を示す説明図である。引っ張り補助具１０Ａは、これまで説明してきた引っ張り補助具１０と基本的にその構成を同じくする。但し、第１の変形例における紐留め３１は、紐留めの形状が大きく形成されている。
【００４３】
上述したように、紐留め３の機能としてストッパーとしての機能がある。そこで紐留め３の大きさを、例えば図７の紐留め３１のように大きく形成することで、手の大きな使用者にも対応することができる。また、例えば、指に引っ掛けるといった利用の仕方だけではなく、紐留め３１自体に手を添えて押さえるように使用することも可能となる。このような使用が可能となれば、手に障害を持つ障害者であっても、紐部２を指の間に挟まずとも紐留め３１を押さえるように手を動かすだけで被服Ｃを固定することができ、ファスナーＦの開閉を行うことができる。なお、紐留め３１の大きさは任意に設定することができる。
【００４４】
また、第１の変形例として示すように、紐留め３１を大きく形成することは、紐留め３１の３つ目の機能を顕在化させることになる。この３つ目の機能は、使用者が指を掛ける、腕を入れる場所を認識する際の目印の機能である。すなわち、引っ張り補助具１０の使用者に対して指を引っ掛ける位置を視覚的にわかりやすくしている。
【００４５】
特に障害者や高齢者が引っ張り補助具１０を使用する場合、指を引っ掛ける紐留め３の位置がわかりにくいとそもそも引っ張り補助具１０の使用が困難となってしまう可能性がある。そこで、紐留め３１のように大きく形成することによって、引っ張り補助具１０の使用者が紐留め３１の位置を認識しやすくなる。
【００４６】
さらには、紐留め３の大きさを変更するだけではなく、例えば、紐留め３の色として様々な色を採用することが可能である。また、紐留め３の形状を図４や図６に示すような形状のみならず、例えば、三角や四角といった形状、或いは、キャラクターの形状等を採用することも可能である。これら特徴的な形状を採用することで、紐留め３が備える目印の機能を十分に発揮させることができる。
【００４７】
このように紐留め３１を大きく形成することで、障害者や高齢者の方はもちろんのこと、例えば、健常者であっても大きな手袋をしているような場合に、大きな紐留め３１に指を引っ掛け易くなり、ファスナーＦの開閉がより容易かつスムーズにできるようになる。
【００４８】
図８は、実施の形態における引っ張り補助具１０の第２の変形例を示す説明図である。第２の変形例として示す引っ張り補助具１０Ｂでは、これまで説明してきた引っ張り補助具１０と異なり、紐先端カバー４が設けられていない。
【００４９】
また、この実施の形態においては、紐先端カバー４を紐部２の他端に装着することで、紐留め３が紐部２から脱落しないようにしている。但し、紐留め３を紐部２に通した後、紐部２の他端を結ぶ等して固定してしまえば、特に紐先端カバー４を設けずとも済む。また、図８に示す引っ張り補助具１０Ｂのように、紐留め３２を紐部２において移動させない場合には、紐留め３２が移動しないようにするための付勢部材を設ける必要はない。従って、紐部２への付勢を解除するためのボタンも設ける必要がない。引っ張り補助具１０Ｂにおいては、このようなボタンのない紐留め３２を採用している。
【００５０】
以上説明したような引っ張り補助具を使用することで、障害者、健常者を問わず、容易、かつ、スムーズにファスナーの開閉を行うことが可能となる。
【００５１】
本発明の実施形態を説明したが、この実施形態は、例として提示したものであり、発明の範囲を限定することを意図していない。例えば、これまで引っ張り補助具を装着する例として、被服と鞄を挙げた。但しファスナーが採用されている物であれば、例えば、ファスナー付きクリアファイルといった文房具や引っ張る方向と逆方向に力を掛けることで容易に引っ張るという行為を行うことができる物にも使用することができる。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００５２】
１    クリップ
２    紐部
３    紐留め
４    紐先端カバー
１０    引っ張り補助具
【要約】
【課題】障害者、健常者を問わず、容易、かつ、スムーズにファスナーの開閉を行うことを可能とする引っ張り補助具を提供する。
【解決手段】一端部側で対象物に自らを固定するクリップ１と、クリップ１の他端側に一端部が固定される紐部２と、紐部２の長さ方向の所定の位置で固定される紐留め３とを備える。クリップ１を対象物に留めた上で、紐留め３を所定の位置に固定し、当該紐留め３に指等を引っ掛けることでファスナーの開閉時に対象物が動かないように固定する。
【選択図】図１【図１】
0005966232.tif 000002
【図２】
0005966232.tif 000003
【図３】
0005966232.tif 000004
【図４】
0005966232.tif 000005
【図５】
0005966232.tif 000006
【図６】
0005966232.tif 000007
【図７】
0005966232.tif 000008
【図８】
0005966232.tif 000009